(57)【要約】【課題】通気通路が設けられた上枠の外観品質を確保し、かつ障子の円滑な開閉動作を保証する。【解決手段】枠体１０に対して障子２０が開閉可能に配設され、枠体１０の上枠１１は、上方上枠部１５及び下方上枠部１６を備え、これら上方上枠部１５及び下方上枠部１６の間に通気通路１７が構成された建具において、上方上枠部１５と下方上枠部１６との間には、通気のための空間を確保した状態で上方上枠部１５及び下方上枠部１６の相互に近接する方向の移動を制限する規制片部材１９が設けられている。【選択図】図２
2019085797.tif 000002
【特許請求の範囲】
【請求項１】
枠体に対して障子が開閉可能に配設され、
前記枠体の上枠は、上方上枠部及び下方上枠部を備え、これら上方上枠部及び下方上枠部の間に通気通路が構成された建具において、
前記上方上枠部と前記下方上枠部との間には、通気のための空間を確保した状態で前記上方上枠部及び前記下方上枠部の相互に近接する方向の移動を制限する規制片部材が設けられていることを特徴とする建具。
【請求項２】
前記通気通路の一方の開口端部には、上縁の軸部を介して回転することにより前記通気通路の開口面積を変化させる弁体が設けられており、
前記規制片部材において前記弁体に対向する端部には、前記弁体の移動軌跡に沿った逃げ部が設けられていることを特徴とする請求項１に記載の建具。
【請求項３】
前記規制片部材において前記通気通路の上流側に位置する端部には、前記通気通路の上流に向けて漸次狭幅となるように尖端面が設けられていることを特徴とする請求項１に記載の建具。
【請求項４】
前記規制片部材と、前記上方上枠部及び前記下方上枠部の少なくとも一方の上枠部との間には、ネジ孔にネジを螺合することによって互いの間を結合させるネジ結合機構と、突起を係合孔に挿入することによって互いに係合する係合機構とが設けられていることを特徴とする請求項１に記載の建具。
【発明の詳細な説明】
【技術分野】
【０００１】
本発明は、枠体に対して障子が開閉可能に設けられた建具に関するもので、特に枠体の上枠に通気通路が設けられた建具に関するものである。
【背景技術】
【０００２】
２つの空間を仕切るように設けられる建具では、障子を閉じた状態においても２つの空間で換気が可能となるように、上枠に通気通路を設けるようにしたものが提供されている。例えば、浴室用の建具では、障子を閉じることによって浴室と脱衣室との間が仕切られることになり、浴室でシャワー等の水を使用した場合にもその水が脱衣室に飛散するのを防止するようにしている。上述のように、通気通路を備えた建具によれば、障子を閉じた状態においても浴室で換気扇を駆動すれば、脱衣室から上枠の通気通路を通じて浴室に空気が供給され、浴室の換気を行うことが可能となる。
【０００３】
この種の建具では、上枠を上方上枠部及び下方上枠部によって構成し、互いの間に確保した間隔を通気通路として用いるようにしている。上方上枠部には、躯体に取り付けらためのヒレ部が設けられ、下方上枠部には、障子の上框に係合するレール等の障子係合部が設けられている。上方上枠部及び下方上枠部は、それぞれの端部に設けたビスホールに取付ネジを螺合することにより、縦枠との間が個別に連結されている（例えば、特許文献１参照）。
【先行技術文献】
【特許文献】
【０００４】
【特許文献１】特開２０１１−２１９９５５号公報
【発明の概要】
【発明が解決しようとする課題】
【０００５】
ところで、通気通路が設けられているとはいえ、外観品質を考慮した場合には、上枠の見付け方向に沿った寸法をできるだけ小さく構成することが好ましいのはいうまでもない。しかしながら、上枠の見付け方向に沿った寸法を小さく構成した場合には、上方上枠部及び下方上枠部のそれぞれに対して取付ネジの相互間に大きな距離を確保することが困難となる。このため、例えば操作ハンドルを下方に押し下げるような外力が障子に加えられると、その外力が障子の上框を介して下方上枠部に加えられることになる。この結果、下方上枠部に対して長手に沿った軸線を中心として回転するように位置ずれが招来されることになり、障子の円滑な開閉に支障を来すおそれがある。
【０００６】
本発明は、上記実情に鑑みて、通気通路が設けられた上枠の外観品質を確保し、かつ障子の円滑な開閉動作を保証することのできる建具を提供することを目的とする。
【課題を解決するための手段】
【０００７】
上記目的を達成するため、本発明に係る建具は、枠体に対して障子が開閉可能に配設され、前記枠体の上枠は、上方上枠部及び下方上枠部を備え、これら上方上枠部及び下方上枠部の間に通気通路が構成された建具において、前記上方上枠部と前記下方上枠部との間には、通気のための空間を確保した状態で前記上方上枠部及び前記下方上枠部の相互に近接する方向の移動を制限する規制片部材が設けられていることを特徴とする。
【０００８】
この発明によれば、規制片部材を介して上方上枠部及び下方上枠部が互いに当接した状態となる。従って、障子を介して下方上枠部に外力が加えられた場合にも、上方上枠部によって下方上枠部の位置ずれが抑えられるようになり、上枠の見付け寸法を小さく構成して外観品質を向上させた建具にあっても、障子の円滑な開閉動作を保証することができるようになる。
【０００９】
また本発明は、上述した建具において、前記通気通路の一方の開口端部には、上縁の軸部を介して回転することにより前記通気通路の開口面積を変化させる弁体が設けられており、前記規制片部材において前記弁体に対向する端部には、前記弁体の移動軌跡に沿った逃げ部が設けられていることを特徴とする。
【００１０】
この発明によれば、通気通路に弁体を設けることにより、不必要時に通気通路を介した通気を防止することができる。しかも、規制片部材に逃げ部が設けてあるため、規制片部材を弁体の近くまで設けることができ、見込み方向においてより広い範囲で上方上枠部と下方上枠部とが相互に近接する方向の移動を制限することができる。
【００１１】
また本発明は、上述した建具において、前記規制片部材において前記通気通路の上流側に位置する端部には、前記通気通路の上流に向けて漸次狭幅となるように尖端面が設けられていることを特徴とする。
【００１２】
この発明によれば、尖端面によって通気通路を通過する通気への影響が抑えられ、通気通路が低下する事態を防止することができる。
【００１３】
また本発明は、上述した建具において、前記規制片部材と、前記上方上枠部及び前記下方上枠部の少なくとも一方の上枠部との間には、ネジ孔にネジを螺合することによって互いの間を結合させるネジ結合機構と、突起を係合孔に挿入することによって互いに係合する係合機構とが設けられていることを特徴とする。
【００１４】
この発明によれば、突起を係合孔に挿入することにより、ネジ孔にネジを螺合する際の規制片部材の回転が阻止されるため、ネジを螺合する際の作業を容易に実施することが可能となる。
【発明の効果】
【００１５】
本発明によれば、規制片部材を介して上方上枠部及び下方上枠部が互いに当接した状態となる。従って、障子を介して下方上枠部に外力が加えられた場合にも、上方上枠部によって下方上枠部の位置ずれが抑えられるようになり、上枠の見付け寸法を小さく構成して外観品質を向上させた建具にあっても、障子の円滑な開閉動作を保証することができるようになる。
【図面の簡単な説明】
【００１６】
【図１】本発明の実施の形態１である建具を浴室側から見た図である。
【図２】図１に示した建具の縦断面図である。
【図３】図１に示した建具の上枠を分解して示す断面斜視図である。
【図４】図１に示した建具に適用する規制片部材を示したもので、（ａ）は平面図、（ｂ）は斜視図である。
【図５】本発明の実施の形態２である建具を浴室側から見た図である。
【図６】図５に示した建具の縦断面図である。
【図７】図５に示した建具に適用する規制片部材を示したもので、（ａ）は平面図、（ｂ）は斜視図である。
【図８】本発明の実施の形態３である建具を浴室側から見た図である。
【図９】図８に示した建具の縦断面図である。
【発明を実施するための形態】
【００１７】
以下、添付図面を参照しながら本発明に係る建具の好適な実施の形態について詳細に説明する。
【００１８】
（実施の形態１）
図１及び図２は、本発明の実施の形態１である建具を示したものである。ここで例示する建具は、浴室と脱衣室との間に設けられる浴室用の引戸であり、枠体１０に対して３枚の障子２０がそれぞれ左右にスライド可能となるように配設したものである。枠体１０は、上枠１１、下枠１２及び左右の縦枠１３，１４を四周枠組みすることによって構成してある。障子２０は、それぞれが矩形状を成す面材２１の四周に上框２２、下框２３及び左右の縦框２４，２５を装着することによって構成したものである。面材２１としては、ガラス等の透光性を有したものを適用している。これら３枚の障子２０は、隣接するものの縦框２４，２５を互いに見込み方向に重ね合わせた場合に枠体１０の開口を閉塞することのできる大きさを有している。図には明示していないが、左右に配置される障子２０には、縦框２４，２５において脱衣室側に位置する部位及び浴室側に位置する部位にそれぞれ操作ハンドル２６が設けてある。
【００１９】
ここで、見込み方向とは、図２中の矢印Ａで示すように、建具の奥行きに沿った方向である。見込み方向に沿った平面については、見込み面と称する場合がある。また、実施の形態においては、見付け方向という用語も用いる。見付け方向とは、上枠１１や下枠１２のように左右に沿った部材の場合、見込み方向に直交した上下に沿う方向であり、縦枠１３，１４のように上下に沿った部材の場合、見込み方向に直交した左右に沿う方向である。見付け方向に沿った平面については、見付け面と称する場合がある。
【００２０】
それぞれの障子２０には、上框２２の上面に上方ガイド溝２２ａが設けてあるとともに、下框２３の下面に下方ガイド溝２３ａが設けてある。上方ガイド溝２２ａは、上框２２の長手に沿って延在した凹所である。上方ガイド溝２２ａの両端部は、左右の縦框２４，２５の上端部に設けたガイド用切欠２４ａ，２５ａを介して障子２０の両端に開口している。同様に、下方ガイド溝２３ａは、下框２３の長手に沿って延在した凹所であり、左右の縦框２４，２５の下端部に設けたガイド用切欠２４ｂ，２５ｂを介して障子２０の両端に開口している。
【００２１】
一方、枠体１０には、上枠１１の下面に３本の上方レール部１１ａが設けてあるとともに、下枠１２の上面に３本の下方レール部１２ａが設けてある。上方レール部１１ａは、上枠１１の長手に沿って互いに平行となるように延在したものである。下方レール部１２ａは、下枠１２において個々の上方レール部１１ａに対向する部位に下枠１２の長手に沿って延在したものである。上述した３枚の障子２０は、上方ガイド溝２２ａに上方レール部１１ａが配置され、かつ下方ガイド溝２３ａに下方レール部１２ａが配置されており、枠体１０に対して左右にスライドすることが可能である。
【００２２】
図２及び図３に示すように、この建具では、枠体１０の上枠１１が互いに独立した上方上枠部１５及び下方上枠部１６を備えている。これら上方上枠部１５及び下方上枠部１６は、互いの間に隙間を確保した状態で左右の縦枠１３，１４の上端部間に取り付けてある。上方上枠部１５及び下方上枠部１６は、アルミニウム合金等の金属もしくは樹脂によって成形した押し出し形材であり、長手方向（押し出し方向）の全長にわたってほぼ一様な断面形状を有するように構成してある。上方上枠部１５は、上枠１１の上方部を構成するもので、見込み方向に沿った寸法が左右の縦枠１３，１４とほぼ同じとなるように構成してある。これに対して下方上枠部１６は、上枠１１の下方部を構成するもので、見込み方向に沿った寸法が左右の縦枠１３，１４よりも小さく構成してある。
【００２３】
以下、上方上枠部１５及び下方上枠部１６を含む枠体１０の上部構成について詳述し、併せて本願発明の特徴部分について説明を行う。なお、以下においては便宜上、浴室と脱衣室の間に設けられている状態でそれぞれの方向を特定することとする。
【００２４】
上方上枠部１５は、上方枠基部１５ａ、上方ガイド壁部１５ｂ、下向見付け壁部１５ｃ及び上向見付け壁部１５ｄを一体に成形したものである。上方枠基部１５ａは、上方上枠部１５において脱衣室側に配置される部分であり、見込み方向に沿ってほぼ水平に延在している。上方ガイド壁部１５ｂは、上方枠基部１５ａから浴室に向けて漸次下方となるように延在した後、浴室側に位置する縁部が下方に向けて湾曲し、さらに浴室に向けてほぼ水平に突出したものである。上方枠基部１５ａと上方ガイド壁部１５ｂとの接続部分には、下方に開口するように弁体用ポケット１５ｅが設けてある。弁体用ポケット１５ｅは、後述する弁体１８の支持軸部１８ａを支持するための凹溝であり、上方上枠部１５の長手に沿った全長に形成してある。下向見付け壁部１５ｃは、上方ガイド壁部１５ｂの浴室側に位置する縁部から下方に向けてほぼ垂直に延在した部分である。上向見付け壁部１５ｄは、上方ガイド壁部１５ｂの浴室側に位置する縁部から浴室に向けて漸次上方に延在した後、上方に向けてほぼ鉛直に延在している。上向見付け壁部１５ｄと上方ガイド壁部１５ｂとの間には、互いに間に中空の筒状部を構成するように上方補強壁部１５ｆが設けてある。この上方上枠部１５は、上方枠基部１５ａの浴室側に位置する部分の上面、上方ガイド壁部１５ｂの浴室側に位置する湾曲部の上面及び上方補強壁部１５ｆにそれぞれビスホール１５ｇを有しており、縦枠１３，１４を介してこれらのビスホール１５ｇに取付ネジ（図示せず）を螺合することによって縦枠１３，１４との間が連結してある。
【００２５】
下方上枠部１６は、下方ガイド壁部１６ａ、弁座部１６ｂ及び上述した３本の上方レール部１１ａを一体に成形したものである。下方ガイド壁部１６ａは、脱衣室側から浴室に向けてほぼ水平に延在した後、浴室に向けて漸次下方となるように延在したものである。弁座部１６ｂは、下方ガイド壁部１６ａの脱衣室側に位置する縁部から上方に向けてほぼ鉛直に延在した部分である。３本の上方レール部１１ａは、それぞれが鉛直方向に沿って延在した薄板状部分であり、下方ガイド壁部１６ａの脱衣室側に位置する縁部、浴室側に位置する縁部及び中間となる部分に設けてある。隣接する上方レール部１１ａの上端部間には、下方ガイド壁部１６ａとの間にそれぞれ中空の筒状部を構成するように下方補強壁部１６ｃが設けてある。この下方上枠部１６は、脱衣室側に位置する上方レール部１１ａと下方ガイド壁部１６ａとの隅部及び浴室側に位置する上方レール部１１ａと下方補強壁部１６ｃとの隅部にそれぞれビスホール１６ｄを有しており、縦枠１３，１４を介してこれらのビスホール１６ｄに取付ネジ（図示せず）を螺合することによって縦枠１３，１４との間が連結してある。
【００２６】
図からも明らかなように、下方上枠部１６は、下方ガイド壁部１６ａと上方上枠部１５の上方ガイド壁部１５ｂとの間に隙間を確保するとともに、浴室側に位置する上方レール部１１ａと上方上枠部１５の下向見付け壁部１５ｃとの間に隙間を確保することにより、上方上枠部１５との間に、脱衣室と浴室との間を連通する通気通路１７を構成している。下方上枠部１６の弁座部１６ｂは、上方上枠部１５の弁体用ポケット１５ｅに対してほぼ鉛直下方に位置している。
【００２７】
さらに、枠体１０の上枠１１には、弁体１８及び規制片部材１９が設けてある。弁体１８は、通気通路１７の開口面積を脱衣室側の端部において変化させるためのものである。本実施の形態１では、円柱状を成す支持軸部１８ａと、支持軸部１８ａの周面から径方向に延在した薄板状の弁本体部１８ｂとを有し、支持軸部１８ａを介して弁体用ポケット１５ｅに支持させた弁体１８を例示している。この弁体１８は、図２中の実線で示すように、通常状態において弁本体部１８ｂが支持軸部１８ａから垂下した場合に、弁本体部１８ｂの先端縁部に配設したモヘアを介して下方上枠部１６の弁座部１６ｂに当接することのできる寸法に構成してある。
【００２８】
規制片部材１９は、通気通路１７において上方上枠部１５と下方上枠部１６との間に介在するブロック状部材である。本実施の形態１では、ＰＰ（ポリプロピレン）等の硬質樹脂を材料として射出成形した規制片部材１９を適用し、図１に示すように、相互間に通気のための空間を確保した状態で上枠１１の互いにほぼ等間隔となる３位置に配設してある。
【００２９】
より具体的に説明すると、規制片部材１９は、図２及び図４に示すように、上方ガイド壁部１５ｂと下方ガイド壁部１６ａとの間において脱衣室側の上方レール部１１ａと中間の上方レール部１１ａとの間に位置する部分から、下向見付け壁部１５ｃの上端部と浴室側の上方レール部１１ａの上端部との間にまで配置される寸法を有したもので、上壁部１９ａ、２つの側壁部１９ｂ、前壁部１９ｃ、後壁部１９ｄ及び底壁部１９ｅを有している。上壁部１９ａは、矩形の平板状を成すものである。２つの側壁部１９ｂは、上壁部１９ａの両側から下方に向けて延在した平板状を成すものである。図からも明らかなように、２つの側壁部１９ｂは、上壁部１９ａにおいて浴室側に位置する縁部よりも浴室側に突出している。前壁部１９ｃは、上壁部１９ａ及び左右の側壁部１９ｂにおいて脱衣室側に位置する部分を覆うように設けたものである。後壁部１９ｄは、上壁部１９ａにおいて浴室側に位置する部分から下方に向けて延在したものである。底壁部１９ｅは、後壁部１９ｄの下端部から浴室側に向けて延在した部分である。規制片部材１９において上方上枠部１５に対向する部分、つまり、上壁部１９ａの上面、２つの側壁部１９ｂの上端面は、上方ガイド壁部１５ｂ及び下向見付け壁部１５ｃの形状に倣って形成してあり、それぞれに当接することが可能である。同様に、規制片部材１９において下方上枠部１６に対向する部分、つまり、前壁部１９ｃの下端面、２つの側壁部１９ｂの下端面及び底壁部１９ｅは、下方ガイド壁部１６ａ及び上方レール部１１ａの上端部の形状に倣って形成してあり、それぞれに当接することが可能である。
【００３０】
この規制片部材１９には、前壁部１９ｃに尖端面１９ｆ及び逃げ部１９ｇが設けてある。尖端面１９ｆは、前壁部１９ｃにおいて２つの側壁部１９ｂに連結される部分に設けたもので、互いの間隔が脱衣室側に向けて漸次小さくなるように形成してある。逃げ部１９ｇは、弁体１８が回転した場合に弁体１８との干渉を防止するためのもので、弁体用ポケット１５ｅの軸心を中心線とした円筒の凹状に構成してある。
【００３１】
また、規制片部材１９には、上壁部１９ａに突起１９ｈ及びネジ孔１９ｊが設けてある。突起１９ｈは、先端がテーパ状を成す円柱状部材であり、上壁部１９ａにおいて脱衣室側となる部位から上方に向けて突出している。ネジ孔１９ｊは、上壁部１９ａにおいて突起１９ｈよりも浴室側となる部位に設けてある。図からも明らかなように、上方上枠部１５において突起１９ｈに対応する部位には係合孔１５ｈが設けてあり、ネジ孔１９ｊに対応する部位にはネジ挿通孔１５ｊが設けてある。係合孔１５ｈは、規制片部材１９の突起１９ｈを挿入することのできる大きさに形成したものである。ネジ挿通孔１５ｊは、規制片部材１９のネジ孔１９ｊに螺合されるネジＳの軸部を挿通可能、かつ頭部を挿通不可とする大きさに形成してある。
【００３２】
上述した規制片部材１９は、縦枠１３，１４の相互間に下方上枠部１６を取り付ける以前の状態で、突起１９ｈを係合孔１５ｈに挿入するとともに、ネジ挿通孔１５ｊを介してネジ孔１９ｊにネジＳを螺合することにより、上壁部１９ａの上面及び２つの側壁部１９ｂの上端面を上方ガイド壁部１５ｂ及び下向見付け壁部１５ｃに当接させた状態で上方上枠部１５に取り付けてある。このとき、規制片部材１９の取り付けには、ネジＳを１本だけ螺合するようにしている。従って、規制片部材１９を取り付ける際の作業時間を短縮化することができる。しかも、突起１９ｈが係合孔１５ｈに挿入された状態であるため、上方上枠部１５に対して規制片部材１９が回転することはなく、ネジＳの螺合作業を煩雑化することなく規制片部材１９の向きを正確に規定することが可能となる。しかる後、左右の縦枠１３，１４の間に下方上枠部１６を取り付ければ、互いの間に規制片部材１９を介在させ、かつ脱衣室と浴室との間に通気通路１７を確保した状態で上枠１１を構成することができる。
【００３３】
上記のように構成した建具では、障子２０によって枠体１０の開口を閉じた状態においても上枠１１の通気通路１７を通じて浴室と脱衣室とが連通された状態にある。ここで、図２中の実線で示すように、通常の状態においては弁本体部１８ｂが自重によって支持軸部１８ａから垂下し、弁本体部１８ｂの先端縁部に配設したモヘアを介して下方上枠部１６の弁座部１６ｂに当接した状態にある。この状態においては、通気通路１７がほぼ閉じているため、浴室で湯を使用した場合にも、その湯気が脱衣室に漏出するおそれはない。上述の状態から、例えば浴室の図示せぬ換気扇を駆動する等して浴室の圧力が脱衣室よりも低下した場合には、図２中の２点鎖線で示すように、支持軸部１８ａを中心として弁体１８の弁本体部１８ｂが浴室側に回転し、通気通路１７の開口面積が拡大した状態となる。これにより、通気通路１７を通じて脱衣室の空気が浴室の内部に供給され、浴室を短時間に換気することができるようになる。浴室の換気が終了し、図示せぬ換気扇を停止させると、弁体１８の弁本体部１８ｂが自重によって脱衣室側に回転し、再び図２中の実線で示す状態に復帰することになる。
【００３４】
さらにこの建具では、上方上枠部１５と下方上枠部１６との間に規制片部材１９を設けるようにしているため、下方上枠部１６に対して長手に沿った軸線を中心として回転するように外力が加えられた場合にも、規制片部材１９及び上方上枠部１５を介してこれが防止されることになる。従って、外観品質の向上を図るべく上枠１１の見付け方向に沿った寸法を小さく構成する結果、下方上枠部１６のビスホール１６ｄ相互間に大きな寸法を確保できない場合であっても、縦枠１３，１４に対して下方上枠部１６が上方に位置ずれを来すおそれがなくなる。これにより、例えば、操作ハンドル２６を下方に押し下げるような外力が障子２０に加えられ、その外力が上方レール部１１ａを介して下方上枠部１６に加えられたとしても、縦枠１３，１４に対して下方上枠部１６がその位置を維持するようになり、障子２０の円滑な開閉を保証することができる。
【００３５】
特に、実施の形態１では、規制片部材１９の脱衣室側に位置する前壁部１９ｃに逃げ部１９ｇが設けてあるため、弁体１８に近接した部分にまで規制片部材１９を配置することが可能であり、下方上枠部１６の位置ずれをより確実に防止することができる。しかも、上述したように、規制片部材１９において脱衣室側に位置する端部には、尖端面１９ｆが設けてある。従って、規制片部材１９が通気通路１７を通過する空気の流れを妨げることはなく、通気通路１７を通じた換気の効率に大きな影響を与えるおそれもない。
【００３６】
（実施の形態２）
図５及び図６は、本発明の実施の形態２である建具を示したものである。ここで例示する建具は、浴室と脱衣室との間に設けられる浴室用の引戸であり、枠体４０に対して１枚の固定面材４１が配設してあるとともに、２枚の障子５０がそれぞれ左右にスライド可能となるように配設してある。枠体４０は、上枠４２、下枠４３及び左右の縦枠４４，４５を四周枠組みし、さらに上枠４２と下枠４３との間に縦枠４４，４５に対して平行となるように縦骨４６を設けることによって構成してある。本実施の形態２では、脱衣室から見た場合に左右の縦枠４４，４５の間において右側の縦枠（以下、区別する場合に右縦枠４５という）からほぼ１／３となる位置に縦骨４６が設けてあり、縦骨４６と右縦枠４５との間に固定面材４１が設けてある。障子５０は、それぞれが矩形状を成す面材５１の四周に上框５２、下框５３及び左右の縦框５４，５５を装着することによって構成したものである。上述した枠体４０の固定面材４１としては、非透光性を有したもの適用し、一方、障子５０の面材５１としては、透光性を有したものを適用している。これら２枚の障子５０は、縦框５４，５５を互いに見込み方向に重ね合わせた場合に脱衣室から見て左側の縦枠（以下、区別する場合に左縦枠４４という）と縦骨４６との間の開口を閉塞することのできる大きさを有している。それぞれの障子５０の上框５２に上方ガイド溝５２ａが設けてあるとともに、下框５３に下方ガイド溝５３ａが設けてある点は、実施の形態１と同様である。図５中の符号５６は、障子５０の縦框５４に設けた操作ハンドルである。
【００３７】
一方、枠体４０には、上枠４２の下面に２本の上方レール部４２ａが互いに平行となるように設けてあるとともに、下枠４３の上面において上方レール部４２ａに対向する部位に２本の下方レール部４３ａが設けてある。上述した２枚の障子５０は、上方レール部４２ａ及び下方レール部４３ａを介してそれぞれ枠体４０に対して左右にスライドすることが可能である。
【００３８】
また、この建具においても、枠体４０の上枠４２は、互いに独立した上方上枠部４７及び下方上枠部４８を備えて構成してある。但し、図には明示していないが、上方上枠部４７及び下方上枠部４８の間に通気通路４９が確保してあるのは、枠体４０において縦骨４６と左縦枠４４との間の開口に対応する部分のみとなる。縦骨４６と右縦枠４５との間においては、浴室側に位置する部分において上方上枠部４７と下方上枠部４８とが互いに連結してあり、脱衣室と浴室との間を連通していない。さらに、通気通路４９が設けられた上方上枠部４７は、脱衣室側の部分と浴室側の部分とが別体に構成してあり、これら別体に構成した部分を互いに係合させることによって、上方枠基部４７ａ、上方ガイド壁部４７ｂ、下向見付け壁部４７ｃ及び上向見付け壁部４７ｄを構成している。上方枠基部４７ａと上方ガイド壁部４７ｂとの間の弁体用ポケット４７ｅには、弁体６０が支持軸部６０ａを介して回転可能に支持させてある。上方上枠部４７のビスホール４７ｆも実施の形態１と同様の位置に設けてある。下方上枠部４８については、上方レール部４２ａが２本となっている以外、実施の形態１のものとほぼ共通であり、下方ガイド壁部４８ａ、弁座部４８ｂ、下方補強壁部４８ｃ及びビスホール４８ｄを有して構成してある。
【００３９】
この上枠４２には、左縦枠４４と縦骨４６とのほぼ中間となる部位にのみ規制片部材６１が設けてある。規制片部材６１は、図６及び図７に示すように、上方ガイド壁部４７ｂと下方ガイド壁部４８ａとの間において脱衣室側の上方レール部４２ａと浴室側の上方レール部４２ａとの間に位置する部分から、下向見付け壁部４７ｃの上端部との間にまで配置される寸法を有したもので、実施の形態１と同様、上壁部６１ａ、２つの側壁部６１ｂ、前壁部６１ｃ、後壁部６１ｄ及び底壁部６１ｅを有して構成してある。これら上壁部６１ａ、側壁部６１ｂ、前壁部６１ｃ、後壁部６１ｄ及び底壁部６１ｅは、上方上枠部４７及び下方上枠部４８の形状に倣った形状を成しており、上方上枠部４７の下面及び下方上枠部４８の上面に当接することが可能である。規制片部材６１がＰＰ（ポリプロピレン）等の硬質樹脂を材料として射出成形したものである点、前壁部６１ｃに尖端面６１ｆと逃げ部６１ｇとが設けてある点及び上壁部６１ａに突起６１ｈとネジ孔６１ｊとが設けてある点は、実施の形態１と同様である。また、上方上枠部４７において規制片部材６１の突起６１ｈに対応する部位に係合孔４７ｈが設けてあり、ネジ孔６１ｊに対応する部位にネジ挿通孔４７ｊが設けてある点も実施の形態１と同様である。つまり、規制片部材６１の突起６１ｈを係合孔４７ｈに挿入した状態でネジ挿通孔４７ｊを介してネジ孔６１ｊにネジＳを螺合することにより、上方上枠部４７に規制片部材６１が取り付けてある。
【００４０】
上記の構成を有する建具では、通常の状態においては弁体６０の弁本体部６０ｂが自重によって支持軸部６０ａから垂下し、図６中の実線で示すように、弁本体部６０ｂの先端縁部に配設したモヘアを介して下方上枠部４８の弁座部４８ｂに当接した状態にある。この状態においては、通気通路４９がほぼ閉じているため、浴室で湯を使用した場合にも、その湯気が脱衣室に漏出するおそれはない。上述の状態から、例えば浴室の図示せぬ換気扇を駆動する等して浴室の圧力が脱衣室よりも低下した場合には、図６中の２点鎖線で示すように、支持軸部６０ａを中心として弁体６０の弁本体部６０ｂが浴室側に回転し、通気通路４９の開口面積が拡大した状態となる。これにより、通気通路４９を通じて脱衣室の空気が浴室の内部に供給され、浴室を短時間に換気することができるようになる。浴室の換気が終了し、換気扇を停止させると、弁体６０の弁本体部６０ｂが自重によって脱衣室側に回転し、再び図６中の実線で示す状態に復帰することになる。
【００４１】
さらにこの建具では、上方上枠部４７と下方上枠部４８との間に規制片部材６１を設けるようにしているため、下方上枠部４８に対して長手に沿った軸線を中心として回転するように外力が加えられた場合にも、規制片部材６１及び上方上枠部４７を介してこれが防止されることになる。従って、外観品質の向上を図るべく上枠４２の見付け方向に沿った寸法を小さく構成する結果、下方上枠部４８のビスホール４８ｄ相互間に大きな寸法を確保できない場合であっても、縦枠４４，４５に対して下方上枠部４８が上方に位置ずれを来すおそれがなくなる。これにより、例えば、操作ハンドル５６を下方に押し下げるような外力が障子５０に加えられ、その外力が上方レール部４２ａを介して下方上枠部４８に加えられたとしても、縦枠４４，４５に対して下方上枠部４８がその位置を維持するようになり、障子５０の円滑な開閉を保証することができる。特に、実施の形態２では、規制片部材６１の脱衣室側に位置する前壁部６１ｃに逃げ部６１ｇが設けてあるため、弁体６０に近接した部分にまで規制片部材６１を配置することが可能であり、下方上枠部４８の位置ずれをより確実に防止することができる。しかも、規制片部材６１において脱衣室側に位置する端部には、尖端面６１ｆが設けてある。従って、規制片部材６１が通気通路４９を通過する空気の流れを妨げることはなく、通気通路４９を通じた換気の効率に大きな影響を与えるおそれもない。
【００４２】
（実施の形態３）
図８及び図９は、本発明の実施の形態３である建具を示したものである。ここで例示する建具は、浴室と脱衣室との間に設けられる浴室用の引戸であり、枠体７０に対して１枚の固定面材７１が配設してあるとともに、１枚の障子８０が左右にスライド可能となるように配設してある。枠体７０は、上枠７２、下枠７３及び左右の縦枠７４，７５を四周枠組みし、さらに上枠７２と下枠７３との間に縦枠７４，７５と平行となるように縦骨７６を設けることによって構成してある。本実施の形態３では、左右の縦枠７４，７５の間のほぼ中間となる位置に縦骨７６が設けてあり、脱衣室から見て右側の縦枠７５と縦骨７６との間に固定面材７１が設けてある。障子８０は、矩形状を成す面材８１の四周に上框８２、下框８３及び左右の縦框８４，８５を装着することによって構成したもので、脱衣室から見て左側の縦枠７４と縦骨７６との間の開口を閉塞することのできる大きさを有している。上述した枠体７０の固定面材７１としては、非透光性を有したもの適用し、一方、障子８０の面材８１としては、透光性を有したものを適用している。障子８０の上框８２に上方ガイド溝８２ａが設けてあるとともに、下框８３に下方ガイド溝８３ａが設けてある点は、実施の形態１と同様である。図８中の符号８６は、障子８０の縦框８４に設けた操作ハンドルである。
【００４３】
一方、枠体７０には、上枠７２の下面に上方レール部７２ａが設けてあるとともに、下枠７３の上面において上方レール部７２ａに対向する部位に下方レール部７３ａが設けてある。上述した障子８０は、上方レール部７２ａ及び下方レール部７３ａを介して枠体７０に対して左右にスライドすることが可能である。
【００４４】
また、この建具においても、枠体７０の上枠７２は、互いに独立した上方上枠部７７及び下方上枠部７８を備えて構成してある。但し、実施の形態２と同様、上方上枠部７７及び下方上枠部７８の間に通気通路７９が確保してあるのは、縦骨７６と脱衣室から見て左側の縦枠７４との間の開口に対応する部分のみとなる。さらに、通気通路７９が設けられた上方上枠部７７は、脱衣室側の部分と浴室側の部分とが別体に構成してあり、これら別体に構成した部分を互いに係合させることによって、上方枠基部７７ａ、上方ガイド壁部７７ｂ、下向見付け壁部７７ｃ及び上向見付け壁部７７ｄを構成している。上方枠基部７７ａと上方ガイド壁部７７ｂとの間の弁体用ポケット７７ｅには、弁体９０が支持軸部９０ａを介して回転可能に支持させてある。上方上枠部７７のビスホール７７ｆも実施の形態１と同様の位置に設けてある。下方上枠部７８については、上方レール部７２ａが１本となっており、この上方レール部７２ａを基準として下方ガイド壁部７８ａ、弁座部７８ｂ及び下方補強壁部７８ｃが構成してある。下方上枠部７８のビスホール７８ｄについては、上方レール部７２ａと下方ガイド壁部７８ａとの隅部及び浴室側において下方ガイド壁部７８ａと下方補強壁部７８ｃとが連結する部分にそれぞれ設けてある。
【００４５】
この上枠７２には、左側の縦枠７４と縦骨７６とのほぼ中間となる部位にのみ規制片部材９１が設けてある。規制片部材９１は、上方ガイド壁部７７ｂと下方ガイド壁部７８ａとのほぼ中間となる部分から、下向見付け壁部７７ｃの上端部との間にまで配置される寸法を有したものである。規制片部材９１が上方上枠部７７の下面と下方上枠部７８の上面とに当接することが可能である点、規制片部材９１がＰＰ（ポリプロピレン）等の硬質樹脂を材料として射出成形したものである点、脱衣室側に位置する端部に尖端面９１ａと逃げ部９１ｂとが設けてある点及び上方上枠部７７に対向する部位に突起９１ｃとネジ孔９１ｄとが設けてある点は、実施の形態１と同様である。また、上方上枠部７７において規制片部材９１の突起９１ｃに対応する部位に係合孔７７ｈが設けてあり、ネジ孔９１ｄに対応する部位にネジ挿通孔（図示せず）が設けてある点も実施の形態１と同様である。つまり、規制片部材９１の突起９１ｃを係合孔７７ｈに挿入した状態で上方上枠部７７のネジ挿通孔（図示せず）を介してネジ孔９１ｄにネジＳを螺合することにより、上方上枠部７７に規制片部材９１が取り付けてある。
【００４６】
上記の構成を有する建具では、通常の状態においては弁本体部９０ｂが自重によって支持軸部９０ａから垂下し、図９中の実線で示すように、弁本体部９０ｂの先端縁部に配設したモヘアを介して下方上枠部７８の弁座部７８ｂに当接した状態にある。この状態においては、通気通路７９がほぼ閉じているため、浴室で湯を使用した場合にも、その湯気が脱衣室に漏出するおそれはない。上述の状態から、例えば浴室の図示せぬ換気扇を駆動する等して浴室の圧力が脱衣室よりも低下した場合には、図９中の２点鎖線で示すように、支持軸部９０ａを中心として弁体９０の弁本体部９０ｂが浴室側に回転し、通気通路７９の開口面積が拡大した状態となる。これにより、通気通路７９を通じて脱衣室の空気が浴室の内部に供給され、浴室を短時間に換気することができるようになる。浴室の換気が終了し、換気扇を停止させると、弁体９０の弁本体部９０ｂが自重によって脱衣室側に回転し、再び図９中の実線で示す状態に復帰することになる。
【００４７】
さらにこの建具では、上方上枠部７７と下方上枠部７８との間に規制片部材９１を設けるようにしているため、下方上枠部７８に対して長手に沿った軸線を中心として回転するように外力が加えられた場合にも、規制片部材９１及び上方上枠部７７を介してこれが防止されることになる。従って、外観品質の向上を図るべく上枠７２の見付け方向に沿った寸法を小さく構成する結果、下方上枠部７８のビスホール７８ｄ相互間に大きな寸法を確保できない場合であっても、縦枠７４，７５に対して下方上枠部７８が上方に位置ずれを来すおそれがなくなる。これにより、例えば、操作ハンドル８６を下方に押し下げるような外力が障子８０に加えられ、その外力が上方レール部７２ａを介して下方上枠部７８に加えられたとしても、縦枠７４，７５に対して下方上枠部７８がその位置を維持するようになり、障子８０の円滑な開閉を保証することができる。特に、実施の形態３では、規制片部材９１の脱衣室側に位置する端部に逃げ部９１ｂが設けてあるため、弁体９０に近接した部分にまで規制片部材９１を配置することが可能であり、下方上枠部７８の位置ずれをより確実に防止することができる。しかも、上述したように、規制片部材９１において脱衣室側に位置する端部には、尖端面９１ａが設けてある。従って、規制片部材９１が通気通路７９を通過する空気の流れを妨げることはなく、通気通路７９を通じた換気の効率に大きな影響を与えるおそれもない。
【００４８】
なお、上述した実施の形態１〜実施の形態３では、いずれも建具として脱衣室と浴室との間に設けられる建具を例示しているが、その他の用途に用いられるものにももちろん適用することが可能である。また、建具としては枠体１０，４０，７０に対して障子２０，５０，８０が開閉可能に配設されたものであれば必ずしも引戸である必要はない。さらに、上枠１１，４２，７２に設けた通気通路１７，４９，７９は、必ずしも弁体１８，６０，９０を備えている必要はない。なお、弁体１８，６０，９０が設けられていない場合には、通気通路１７，４９，７９の一方の開口端から他方の開口端にわたる部位の全長に規制片部材１９，６１，９１を設けることが可能であり、下方上枠部１６，４８，７８の位置ずれをより確実に防止することが可能となる。
【００４９】
また、上述した実施の形態１〜実施の形態３では、いずれも規制片部材１９，６１，９１に突起１９ｈ，６１ｈ，９１ｃを設ける一方、対応する上方上枠部１５，４７，７７に係合孔１５ｈ，４７ｈ，７７ｈを設けるようにしているが、突起１９ｈ，６１ｈ，９１ｃと係合孔１５ｈ，４７ｈ，７７ｈとによる係合機構は係合孔１５ｈ，４７ｈ，７７ｈを規制片部材１９，６１，９１に設け、かつ突起１９ｈ，６１ｈ，９１ｃを上方上枠部１５，４７，７７に設けても良い。さらに、上方上枠部１５，４７，７７を介して規制片部材１９，６１，９１にネジＳを螺合するようにしているが、上方上枠部１５，４７，７７からのネジＳに代えて、あるいは上方上枠部１５，４７，７７からのネジＳに加えて下方上枠部１６，４８，７８から規制片部材１９，６１，９１にネジを螺合するようにしても良い。なお、実施の形態１〜実施の形態３において示した通気通路１７，４９，７９に設ける規制片部材１９，６１，９１の個数は、例示のためであって、上記の例に限定されないのはいうまでもない。
【符号の説明】
【００５０】
１０，４０，７０  枠体、１１，４２，７２  上枠、１５，４７，７７  上方上枠部、１６，４８，７８  下方上枠部、１５ｈ，４７ｈ，７７ｈ  係合孔、１５ｊ，４７ｊ  ネジ挿通孔、１７，４９，７９  通気通路、１８，６０，９０  弁体、１９，６１，９１  規制片部材、１９ｆ，６１ｆ，９１ａ  尖端面、１９ｇ，６１ｇ，９１ｂ  逃げ部、１９ｈ，６１ｈ，９１ｃ  突起、１９ｊ，６１ｊ，９１ｄ  ネジ孔、２０，５０，８０  障子、Ｓ  ネジ
【図１】
2019085797.tif 000003
【図２】
2019085797.tif 000004
【図３】
2019085797.tif 000005
【図４】
2019085797.tif 000006
【図５】
2019085797.tif 000007
【図６】
2019085797.tif 000008
【図７】
2019085797.tif 000009
【図８】
2019085797.tif 000010
【図９】
2019085797.tif 000011